(57)【要約】【課題】コンタクトの挿入の直前、抜去の直後に発生するアークに対する耐久性を有するコネクタを提供すること。【解決手段】雌コンタクト１０に雄コンタクト１３を挿入・抜去して接離するコネクタにおいて、雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設け、アークはアーク用で発生させ、電気的接続は接続用で接触させるようにしたものである。【選択図】  図１
2004234946.tif 000002
【特許請求の範囲】
【請求項１】
雌側ハウジング１２に設けた雌コンタクト１０と雄側ハウジング１５に設けた雄コンタクト１３とを挿入・抜去して接離するコネクタにおいて、前記雌コンタクト１０と雄コンタクト１３とのいずれか一方に、雌コンタクト１０と雄コンタクト１３との相互の挿入・抜去のストロークがアーク用第１接点部３０側より接続用第２接点部３１側が長くなるように位置を異ならせてアーク用第１接点部３０と接続用第２接点部３１とを設けたことを特徴とするコネクタ。
【請求項２】
雌側ハウジング１２に設けた雌コンタクト１０の向かい合う２枚のばね片３４、３５間に、雄側ハウジング１５に設けた雄コンタクト１３を挿入・抜去して接離するコネクタにおいて、前記雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設けたことを特徴とするコネクタ。
【請求項３】
雌側ハウジング１２に設けた雌コンタクト１０と雄側ハウジング１５に設けた雄コンタクト１３とを挿入・抜去して接離するコネクタにおいて、前記雌コンタクト１０の先端部であって、雌コンタクト１０と雄コンタクト１３との相互の挿入・抜去方向に直交する方向に位置をずらしてアーク用第１接点部３０と接続用第２接点部３１とをそれぞれ設け、前記雄コンタクト１３の先端部に、前記アーク用第１接点部３０に接離するアーク用接触端部３２と前記接続用第２接点部３１に接離する接続用接触端部３３とを、雌コンタクト１０と雄コンタクト１３との相互の挿入・抜去のストロークが、アーク用第１接点部３０とアーク用接触端部３２とのストロークより接続用第２接点部３１と接続用接触端部３３とのストロークが長くなるように形成したことを特徴とするコネクタ。
【請求項４】
雌側ハウジング１２に設けた雌コンタクト１０と雄側ハウジング１５に設けた雄コンタクト１３とを挿入・抜去して接離するコネクタにおいて、前記雄コンタクト１３の先端部であって、雌コンタクト１０と雄コンタクト１３との相互の挿入・抜去方向に直交する方向に位置をずらしてアーク用接触端部３２と接続用接触端部３３とをそれぞれ設け、前記雌コンタクト１０の先端部に、前記アーク用接触端部３２に接離するアーク用第１接点部３０と前記接続用接触端部３３に接離する接続用第２接点部３１とを、雌コンタクト１０と雄コンタクト１３との相互の挿入・抜去のストロークが、アーク用第１接点部３０とアーク用接触端部３２とのストロークより接続用第２接点部３１と接続用接触端部３３とのストロークが長くなるように形成したことを特徴とするコネクタ。
【請求項５】
雌側ハウジング１２と雄側ハウジング１５に、それぞれ少なくとも１対の雌コンタクト１０と１対の雄コンタクト１３を設け、前記雌コンタクト１０の向かい合う２枚のばね片３４、３５間に、雄側ハウジング１５に設けた雄コンタクト１３を挿入・抜去して接離するコネクタにおいて、前記１対のそれぞれの雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設け、かつ、前記１対の雄コンタクト１３は、前記一方の雌コンタクト１０に接離する一方の雄コンタクト１３のストロークと、前記他方の雌コンタクト１０に接離する他方の雄コンタクト１３のストロークとを異ならせて形成したことを特徴とするコネクタ。
【発明の詳細な説明】
【０００１】
【発明の属する技術分野】
本発明は、コンタクトの接離の際にアークによる溶融の損傷を可能な限りなくするようにしたコネクタに関するものである。
【０００２】
【従来の技術】
コネクタのコンタクトは、２つの導電性金属片に機械的に力を加えて接触させ、一方の金属片の原子格子から他方の原子格子に自由電子を自由に移動し得るようにしたものである。
具体的には、図８（ａ）に示すように、雌側ハウジング１２に電源２０を接続した１対の雌コンタクト１０ａ，１０ｂを、雄側ハウジング１５に負荷２３を接続した１対の雄コンタクト１３ａ，１３ｂにそれぞれ接触させると、電流は、電源２０，雌コンタクト１０ｂ，雄コンタクト１３ｂ，負荷２３，雄コンタクト１３ａ，雌コンタクト１０ａを経て，電源２０に流れる。
【０００３】
このようなコンタクトの挿入の直前又は抜去の直後に、雌コンタクト１０ａと雄コンタクト１３ａとの間、雄コンタクト１３ｂと雌コンタクト１０ｂとの間の接触部間に所定の隙間が生じた瞬間にアークが発生する。この隙間のある状態では、集中抵抗が増大しているので、それだけ大きな電流が流れて、接触部は、溶解してしまう。具体的には、図８（ｂ）に示すように、接触部にそれぞれ溶融部２９が生じる。電子は、電流とは逆に、電源２０，雌コンタクト１０ａ，雄コンタクト１３ａ，負荷２３，雄コンタクト１３ｂ，雌コンタクト１０ｂを経て電源２０に流れるので、雌コンタクト１０ａと雄コンタクト１３ａの間では、特に、雄コンタクト１３ａ側の溶解が大きく、また、雄コンタクト１３ｂと雌コンタクト１０ｂの間では、特に、雌コンタクト１０ｂ側の溶解が大きい。
【０００４】
従来よりコンタクトの接触部における信頼性を向上させるために接点の材料、接触部形状、接触力、接触面の摺動の有無などの点から種々対策が講じられてきている（例えば、非特許文献１参照。）。
【０００５】
【非特許文献１】
電子装置機器と最新応用技術ＮＯ１  平成２年７月２５日初版第１刷発行  販売／工業資料センター。
【０００６】
【発明が解決しようとする課題】
このように、従来より接点の材料、接触部形状、接触力、接触面の摺動の有無などの点から種々対策を講じられてきているが、特に、コンタクトの挿入の直前、抜去の直後に発生するアークによる溶解ついての対策が不十分であった。
【０００７】
本発明は、コンタクトの挿入の直前、抜去の直後に発生するアークに対する耐久性を有するコネクタを提供することを目的とするものである。
【０００８】
【課題を解決するための手段】
本発明は、雌側ハウジング１２に設けた雌コンタクト１０の向かい合う２枚のばね片３４、３５間に、雄側ハウジング１５に設けた雄コンタクト１３を挿入・抜去して接離するコネクタにおいて、前記雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設けたことを特徴とするコネクタである。
【０００９】
このような構成において、雌コンタクト１０に雄コンタクト１３を挿入するときには、アーク用接触端部３２がまずアーク用第１接点部３０に接触する。このとき、アーク用第１接点部３０とアーク用接触端部３２との間でアークが発生し、溶解したとしても、雄コンタクト１３をさらに雌コンタクト１０に挿入することで、雄コンタクト１３は、接続用第２接点部３１部分に接触する。このことは、接続用第２接点部３１部分には、アークによる溶解が発生することがなく長期間の安定した接触がさなれることとなる。抜去の際にも同様である。
【００１０】
【発明の実施の形態】
雌コンタクト１０と雄コンタクト１３とを接離するコネクタにおいて、本発明では、雌コンタクト１０と雄コンタクト１３とのいずれか一方に、アーク用第１接点部３０と接続用第２接点部３１を雄コンタクト１３との間のストロークに関連して所定の距離を持って一体に設け、また、雄コンタクト１３には、アーク用接触端部３２と接続用接触端部３３とを一体に設けたものである。
【００１１】
このような構成において、雌コンタクト１０に雄コンタクト１３を挿入接続する際には、まず、雌コンタクト１０のアーク用第１接点部３０と、雄コンタクト１３のアーク用接触端部３２とを接触して、この接触が完了してから、雌コンタクト１０の接続用第２接点部３１と、雄コンタクト１３の接続用接触端部３３とを接続することにより、雌コンタクト１０のアーク用第１接点部３０と、雄コンタクト１３のアーク用接触端部３２との間にアークが発生したとしても、雌コンタクト１０の接続用第２接点部３１と、雄コンタクト１３の接続用接触端部３３との間ではアークを生じさせることなく確実に接触させて接続するようにしたものである。
【００１２】
また、抜去の際には、雌コンタクト１０の接続用第２接点部３１と、雄コンタクト１３の接続用接触端部３３との間が離れても、まだ、雌コンタクト１０のアーク用第１接点部３０と、雄コンタクト１３のアーク用接触端部３２との間は接続されているので、雌コンタクト１０の接続用第２接点部３１と、雄コンタクト１３の接続用接触端部３３との間にアークが発生することが無い。その後に雌コンタクト１０のアーク用第１接点部３０と、雄コンタクト１３のアーク用接触端部３２が離れるときに、アークが生じたとしても、本来の接続部分には損傷が発生しない。
【００１３】
以下、本発明の実施例を図面に基づき説明する。
第１実施例：図１（ａ）（ｂ）
雌コンタクト１０は、導電性とばね性を有する金属板からなり、それぞれのばね片３４とばね片３５が向かい合うように略Ｕ字形に折曲され、それぞれのばね片３４とばね片３５の内側には、先端部のすぐそばにアーク用第１接点部３０，３０が互いに向かい合って設けられ、このアーク用第１接点部３０，３０より内方にやや距離をおいて接続用第２接点部３１，３１が互いに向かい合って設けられている。すなわち、雄コンタクト１３と最も早く接触を開始する部分にアーク用第１接点部３０，３０が設けられ、このアーク用第１接点部３０，３０との接続が完了してから雄コンタクト１３と接続する位置に接続用第２接点部３１，３１が設けられる。
【００１４】
前記雌コンタクト１０は、絶縁性の雌側ハウジング１２の内部に収納され、この雌側ハウジング１２に形成した差込み孔２４に臨ませて、前記アーク用第１接点部３０，３０が配置され、また、雌コンタクト１０には、端子部１６が一体に形成され、雌側ハウジング１２の外部に突出している。
前記雄コンタクト１３は、雄側ハウジング１５に設けられており、この雄側ハウジング１５には、前記雌側ハウジング１２を嵌合する嵌合凹部２６が形成され、前記雄コンタクト１３のうち、この嵌合凹部２６側に突出した部分がアーク用接触端部３２，３３を構成し、雄コンタクト１３の端子部２７は、嵌合凹部２６の反対側に突出している。
【００１５】
このような構成において、雌コンタクト１０に雄コンタクト１３を挿入するときには、雄コンタクト１３のアーク用接触端部３２が差込み孔２４を経てまずアーク用第１接点部３０に接触する。このとき、雌コンタクト１０のアーク用第１接点部３０と雄コンタクト１３のアーク用接触端部３２との間でアークが発生し、一部溶解したとしても、雄コンタクト１３をさらに雌コンタクト１０に挿入することで、雄コンタクト１３は、接続用第２接点部３１部分に接触する。このことは、接続用第２接点部３１部分には、アークによる溶解が発生することなく長期間の安定した接触がさなれることとなる。抜去の際にも同様に、アーク用接触端部３２が接続用第２接点部３１から離れるときはアークが発生せず、アーク用第１接点部３０とアーク用接触端部３２が離れるときに、アークが生じたとしても、本来の接続部分には損傷が発生しない。
この図１において、アーク用第１接点部３０は、アークの発生する部分であるから、特にアークに対して耐久性のある材料が使用され、また、接続用第２接点部３１は、アークの発生はないので、むしろ、導電性の優れた材料を使用することが望ましい。
【００１６】
第２実施例：図２
この第２実施例では、雌コンタクト１０におけるばね片３４が差込み孔２４の位置まで伸びる長さを有し、ばね片３５がばね片３４よりも略アーク用第１接点部３０の分だけ短くし、先端の長いばね片３４の先端の内側にはアーク用第１接点部３０が設けられ、先端の短いばね片３５の先端の内側には接続用第２接点部３１が設けられ、アーク用第１接点部３０と接続用第２接点部３１とがやや位置をずらして設けられている。
【００１７】
このような構成において、雌コンタクト１０に雄コンタクト１３を挿入するときには、雄コンタクト１３のアーク用接触端部３２が差込み孔２４を経てばね片３４のアーク用第１接点部３０に接触する。このとき、雌コンタクト１０のアーク用第１接点部３０と雄コンタクト１３のアーク用接触端部３２との間でアークが発生し、溶解したとしても、雄コンタクト１３をさらに雌コンタクト１０に挿入することで、雄コンタクト１３は、ばね片３５の接続用第２接点部３１部分に接触する。このことは、接続用第２接点部３１部分には、アークによる溶解が発生することなく長期間の安定した接触がさなれることとなる。抜去の際にも同様に、アーク用接触端部３２が接続用第２接点部３１から離れるときはアークが発生せず、アーク用第１接点部３０とアーク用接触端部３２が離れるときに、アークが生じたとしても、本来の接続部分には損傷が発生しない。
【００１８】
第３実施例：図３
この第３実施例では、ばね片３４とばね片３５の長さは同一とし、アーク用第１接点部３０と接続用第２接点部３１は、細長い一体物で、互いに向かうあうアーク用第１接点部３０，３０の部分にやや大きな隙間を設け、接続用第２接点部３１，３１の部分が互いに接するか、小さな隙間を有するように設けたものである。雌コンタクト１０におけるばね片３４が差込み孔２４の位置まで伸びる長さを有し、ばね片３５がばね片３４よりも略アーク用第１接点部３０の分だけ短くし、ばね片３４の先端の内側にはアーク用第１接点部３０が設けられ、ばね片３５の先端の内側には接続用第２接点部３１が設けられ、アーク用第１接点部３０と接続用第２接点部３１とがやや位置をずらして設けられている。この例におけるアーク用第１接点部３０と接続用第２接点部３１は、一体であるからアークに対して耐久性のある材料であって、かつ、導電性の優れた材料を使用することが望ましい。
【００１９】
このような構成において、雌コンタクト１０に雄コンタクト１３を挿入するときには、アーク用第１接点部３０とアーク用接触端部３２との間でアークが発生し、溶解したとしても、雄コンタクト１３をさらに雌コンタクト１０に挿入することで、雄コンタクト１３は、接続用第２接点部３１部分に接触し、接続用第２接点部３１部分には、アークによる溶解が発生することなく長期間の安定した接触がさなれることとなる。抜去の際にも同様に、アーク用接触端部３２が接続用第２接点部３１から離れるときはアークが発生せず、アーク用第１接点部３０とアーク用接触端部３２が離れるときに、アークが生じたとしても、本来の接続部分には損傷が発生しない。
【００２０】
第４実施例：図４
この例では、雌コンタクト１０におけるばね片３４とばね片３５の内側には、先端部のすぐそばにアーク用第１接点部３０，３０が１個ずつ互いに向かい合って設けられ、このアーク用第１接点部３０，３０より内方にやや距離をおいて接続用第２接点部３１，３１が２個ずつ互いに向かい合って設けられている。このような構成とすることで、より接触時の信頼性が向上する。
【００２１】
第５実施例：図５
この第５実施例では、雌コンタクト１０において、ばね片３４とばね片３５の幅を前記実施例よりも約２倍に広くし、アーク用第１接点部３０と接続用第２接点部３１とを挿入・抜去方向に対して直交する方向にやや距離をおいて形成し、また、雄コンタクト１３においても幅を前記実施例よりも約２倍に広くするとともに段差を形成し、先端部のアーク用接触端部３２とアーク用第１接点部３０とのストロークｄ１を短くし、接続用接触端部３３と接続用第２接点部３１とのストロークｄ２を長くしたものである。両者のストロークの差は、図１におけるアーク用第１接点部３０と接続用第２接点部３１との距離の差と略同じとする。
【００２２】
このような構成において、雌コンタクト１０に雄コンタクト１３を挿入するときには、アーク用第１接点部３０とアーク用接触端部３２との間でアークが発生し、溶解したとしても、雄コンタクト１３をさらに雌コンタクト１０に挿入することで、接続用接触端部３３は、接続用第２接点部３１部分に接触し、接続用第２接点部３１と接続用接触端部３３との接触部分には、アークによる溶解が発生することなく長期間の安定した接触がさなれることとなる。抜去の際にも同様に、接続用接触端部３３が接続用第２接点部３１から離れるときはアークが発生せず、アーク用第１接点部３０とアーク用接触端部３２が離れるときに、アークが生じたとしても、本来の接続部分には損傷が発生しない。
【００２３】
第６実施例：図６
この第６実施例では、図５に示した第５実施例と同様、雌コンタクト１０において、ばね片３４とばね片３５の幅を前記実施例よりも約２倍に広くするとともに、雄コンタクト１３においても幅を前記実施例よりも約２倍に広くし、アーク用第１接点部３０と接続用第２接点部３１とを挿入・抜去方向に対して斜め直交する方向に形成するとともに、ストローク差を持って形成し、アーク用接触端部３２と接続用接触端部３３とは、段差を付けずに形成することで、先端部のアーク用接触端部３２とアーク用第１接点部３０とのストロークｄ１を短くし、接続用接触端部３３と接続用第２接点部３１とのストロークｄ２を長くしたものである。
このときの挿入・抜去の作用は、図５と同様である。
なお、雌コンタクト１０におけるアーク用第１接点部３０と接続用第２接点部３１との間と、雄コンタクト１３におけるアーク用接触端部３２と接続用接触端部３３との間の両方に段差を有するように形成し、ｄ１とｄ２との間に距離の差を形成するようにしても良い。
【００２４】
第７実施例：図７
この例では、電気的に独立した２個１対の雌コンタクト１０ａ，１０ｂと、電気的に独立した２個１対の雄コンタクト１３ａ，１３ｂとを有するものであって、雌コンタクト１０ａ，１０ｂは、図１と同様の構成とし、１対の雄コンタクト１３ａ，１３ｂのうち、一方が短く、他方が長くなるように形成し、ｄ３とｄ４のストロークの差を形成した例を示している。
このような構成とすることで、少なくともストロークｄ３の短い側の雌コンタクト１０ｂと雄コンタクト１３ｂとにアークの発生を防ぐことができる。
【００２５】
また、３個以上を１対とする雌コンタクト１０と、３個以上を１対とする雄コンタクト１３との組み合わせのコネクタであっても良い。
さらに、２個以上を１対とする例において、雌コンタクト１０と雄コンタクト１３の構成は、図２、図３、図４、図５、図６の各実施例を組み合わせることもできる。
【００２６】
図１〜図７において、アーク用第１接点部３０，３０と接続用第２接点部３１，３１は、それぞれのばね片３４とばね片３５の内側に互いに向かい合って設けた例を示している。しかし、これに限られるものではなく、図１〜図７に鎖線で示すように、雄コンタクト１３の両面に、アーク用第１接点部３０，３０と接続用第２接点部３１，３１を設けるようにしてもよい。
【００２７】
図７に示すように、雌コンタクト１０ａに電源２０のマイナス側を接続し、雌コンタクト１０ｂに電源２０のプラス側を接続した場合であって、マイナス側のストロークｄ４が長い場合には、アークが発生するマイナス側の雌コンタクト１０ａと雄コンタクト１３ａにのみ溶解に対する耐久性をもたせる構成とするようにしてもよい。
図７において、マイナス側のストロークｄ４とプラス側のストロークｄ３が略等しい場合において、雌コンタクト１０ａに電源２０のマイナス側を接続し、雌コンタクト１０ｂに電源２０のプラス側を接続した場合には、図８（ｂ）に示すように、特に、溶解しやすい雄コンタクト１３ａと雌コンタクト１０ｂに、溶解に対する耐久性をもたせるためのアーク用第１接点部３０，３０と接続用第２接点部３１，３１を設けるようにしてもよい。
【００２８】
【発明の効果】
請求項１記載の発明によれば、雌コンタクト１０と雄コンタクト１３とのいずれか一方に、雌コンタクト１０と雄コンタクト１３との相互の挿入・抜去のストロークがアーク用第１接点部３０側より接続用第２接点部３１側が長くなるように位置を異ならせてアーク用第１接点部３０と接続用第２接点部３１とを設けたので、アーク用第１接点部３０の一部分がアークにより溶解することがあっても、接続用第２接点部３１には、溶解が生じることがなく、長期間信頼性のあるコネクタが得られる。
【００２９】
請求項２記載の発明によれば、雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設けたので、雄コンタクト１３は、２枚のばね片３４、３５の向かい合う雌コンタクト１０の面に設けたアーク用第１接点部３０と接続用第２接点部３１とに挟持されつつより確実に接触する。
【００３０】
請求項３記載の発明によれば、雌コンタクト１０の先端部であって、雌コンタクト１０と雄コンタクト１３との相互の挿入・抜去方向に直交する方向に位置をずらしてアーク用第１接点部３０と接続用第２接点部３１とをそれぞれ設け、前記雄コンタクト１３の先端部に、前記アーク用第１接点部３０に接離するアーク用接触端部３２と前記接続用第２接点部３１に接離する接続用接触端部３３とを、雌コンタクト１０と雄コンタクト１３との相互の挿入・抜去のストロークが、アーク用第１接点部３０とアーク用接触端部３２とのストロークより接続用第２接点部３１と接続用接触端部３３とのストロークが長くなるように形成したので、雄コンタクト１３におけるアーク用接触端部３２と接続用接触端部３３とを分離して構成でき、接離を繰り返しても接続用接触端部３３の部分に損傷を与えることがない。
【００３１】
請求項４記載の発明によれば、雄コンタクト１３の先端部であって、雌コンタクト１０と雄コンタクト１３との相互の挿入・抜去方向に直交する方向に位置をずらしてアーク用接触端部３２と接続用接触端部３３とをそれぞれ設け、前記雌コンタクト１０の先端部に、前記アーク用接触端部３２に接離するアーク用第１接点部３０と前記接続用接触端部３３に接離する接続用第２接点部３１３３とを、雌コンタクト１０と雄コンタクト１３との相互の挿入・抜去のストロークが、アーク用第１接点部３０とアーク用接触端部３２とのストロークより接続用第２接点部３１と接続用接触端部３３とのストロークが長くなるように形成したので、雄コンタクト１３におけるアーク用接触端部３２と接続用接触端部３３とを互いに逆向きに使用することができ、挿入・抜去に方向性の規制のないコネクタを得ることができる。
【００３２】
請求項５記載の発明によれば、１対のそれぞれの雌コンタクト１０の２枚のばね片３４、３５の向かい合う面に、この２枚のばね片３４、３５の先端側にアーク用第１接点部３０を設けるとともに、このアーク用第１接点部３０側より雌コンタクト１０と雄コンタクト１３との相互の挿入・抜去のストロークが長くなるように位置を異ならせて接続用第２接点部３１を設け、かつ、前記１対の雄コンタクト１３は、前記一方の雌コンタクト１０に接離する一方の雄コンタクト１３のストロークと、前記他方の雌コンタクト１０に接離する他方の雄コンタクト１３のストロークとを異ならせて形成したので、ストロークの長い側の雌コンタクト１０と雄コンタクト１３とに溶解による耐久性を持たせればよく、接点部分の構成を簡略化できる。
【図面の簡単な説明】
【図１】本発明によるコネクタの第１実施例を示すもので、（ａ）は、雌コンタクト１０と雄コンタクト１３の縦断面図、（ｂ）は、雌コンタクト１０と雄コンタクト１３の横断面図である。
【図２】本発明によるコネクタの第２実施例を示す雌コンタクト１０と雄コンタクト１３の縦断面図である。
【図３】本発明によるコネクタの第３実施例を示す雌コンタクト１０と雄コンタクト１３の縦断面図である。
【図４】本発明によるコネクタの第４実施例を示す雌コンタクト１０と雄コンタクト１３の縦断面図である。
【図５】本発明によるコネクタの第５実施例を示す雌コンタクト１０と雄コンタクト１３の横断面図である。
【図６】本発明によるコネクタの第６実施例を示す雌コンタクト１０と雄コンタクト１３の横断面図である。
【図７】本発明によるコネクタの第７実施例を示す雌コンタクト１０と雄コンタクト１３の縦断面図である。
【図８】従来のコネクタを示すもので、（ａ）は、１対の雌コンタクト１０と雄コンタクト１３の縦断面図、（ｂ）は、溶融した１対の雌コンタクト１０と雄コンタクト１３の一部の拡大図である。
【符号の説明】
１０，１０ａ，１０ｂ…雌コンタクト、１２…雌側ハウジング、１３，１３ａ，１３ｂ…雄コンタクト、１５…雄側ハウジング、１６，１６ａ，１６ｂ…端子部、１８，１８ａ，１８ｂ…接点部、２０…電源、２１，２１ａ，２１ｂ…接触端部、２３…負荷、２４，２４ａ，２４ｂ…差込み孔、２６…嵌合凹部、２７，２７ａ，２７ｂ…端子部、２９…溶融部，３０…アーク用第１接点部、３１…接続用第２接点部、３２…アーク用接触端部、３３…接続用接触端部、３４…ばね片、３５…ばね片。
【図１】
2004234946.tif 000003
【図２】
2004234946.tif 000004
【図３】
2004234946.tif 000005
【図４】
2004234946.tif 000006
【図５】
2004234946.tif 000007
【図６】
2004234946.tif 000008
【図７】
2004234946.tif 000009
【図８】
2004234946.tif 000010